(57)【要約】【課題】多数色の単位カラーフィルターを用いることなく、多数の光色を実現でき、かつカラーフィルターの移動量との関係で、色表現の精度を向上できるカラーチェンジャー及び照明装置を提供することを目的とする。【解決手段】本発明は、本体２ａと、本体２ａ内に移動可能に収納され、光が照射される帯状のカラーフィルター１０とを具備するカラーチェンジャー２において、カラーフィルター１０は、複数色の単位カラーフィルター１１を連続して設け、単位カラーフィルター１１相互の境界１１ａを長手方向に対して非垂直線状となし、かつ光照射部６に対する単位カラーフィルター１１の重合長を長くするようにしたカラーチェンジャー及びこのカラーチェンジャーを設けた照明装置である。【選択図】図１
2007179762.tif 000002
【特許請求の範囲】
【請求項１】
本体と；
本体内に移動可能に収納され、光が照射される帯状のカラーフィルターと；
を具備するカラーチェンジャーにおいて、カラーフィルターは、複数色の単位カラーフィルターを連続して設け、単位カラーフィルター相互の境界を長手方向に対して非垂直線状となし、かつ光照射部に対する単位カラーフィルターの重合長を長くするようにしたことを特徴とするカラーチェンジャー。
【請求項２】
カラーフィルターは、単位カラーフィルター相互の境界を長手方向に対して傾斜線状となした請求項１記載のカラーチェンジャー。
【請求項３】
カラーフィルターは、赤色、緑色、青色及び白色の単位カラーフィルターを含む請求項１記載のカラーチェンジャー。
【請求項４】
カラーフィルターは、赤色、緑色、青色、白色、シアン色、マゼンタ色及びイエロー色の単位カラーフィルターを含む請求項１記載のカラーチェンジャー。
【請求項５】
器具本体内に配設される光源と；
光源へ電力を供給する点灯装置と；
を具備する照明器具に請求項１乃至請求項４のいずれか一記載のカラーチェンジャーを設けたことを特徴とする照明装置。
【発明の詳細な説明】
【技術分野】
【０００１】
この発明は、舞台、スタジオ等に用いられるカラー照明に係り、その光色を変えることができるカラーチェンジャー及び照明装置に関する。
【背景技術】
【０００２】
カラーチェンジャー及び照明装置を図６乃至図９を参照して説明する。図６において、舞台用照明器具であるスポットライト１にカラーチェンジャー２を取付けた照明装置３の側面図を示す。スポットライト１は筐体の中に光源としてのハロゲン電球及び点灯装置等を備えている。また、１ａは、スポットライト吊下げ用ハンドルである。このスポットライト１の前面には、光源から照射される光色を変える外形箱状の本体２ａからなるカラーチェンジャー２が適宜手段で取付けられている。
【０００３】
図７は、カラーチェンジャー２の前面蓋２ａを一部切欠いて示す正面図である。カラーチェンジャー２には、前面及び後面に、光源からの光が通過する略円形の照射開口２ｂが形成されている。また、内部両側には回転ドラム２ｃが、その回転軸両端を枢支して設けられており、この回転ドラム２ｃはモータに連結されている。さらに、回転ドラム２ｃには、帯状のカラーフィルター４の両端が接続され、モータの駆動に応じてカラーフィルター４が回転ドラム２ｃに巻き取られ、巻き戻しされるようになっている。また、２ｄは、カラーフィルター４下側に対向した位置に設けられたフォトセンサーである。
【０００４】
次に、図８は、カラーフィルター４の一部を取出して示す展開図である。カラーフィルター４は、長手方向に複数の色が区分けされて単位カラーフィルター５をなし、この単位カラーフィルター５が連続してつながって帯状をなしている。単位カラーフィルター５は、透過光を赤色にする赤色部（Ｒ）、緑色にする緑色部（Ｇ）、青色にする青色部（Ｂ）及び白色にする白色部（Ｗ）を含んで連結している。これら、単位カラーフィルター５相互の境界５ａは、長手方向に対して垂直線状であり、単位カラーフィルター５下側には前記フォトセンサーに対向する位置にアルミ箔等の位置決めマーカ５ｂが貼着されている。
【０００５】
このようなカラーチェンジャー及び照明装置において、光源からカラーフィルター４に光を照射し、任意の光色により被照射体を照らすことができるわけであるが、これは、カラーフィルター４をモータの駆動により長手方向に移動し、単位カラーフィルター５の位置決めマーカ５ｂをフォトセンサー２ｄで読み取り、照射開口２ｂに対応する単位カラーフィルター５を選択して行われる。すなわち、位置決めマーカ５ｂ毎に番地が決められており、この番地をリモートコントロール装置で選択し、その後、モータを駆動させることによりカラーフィルター４が所定量長手方向に移動し、選択した番地の位置で止まり、結果的に選択した光色で被照射体を照らすことができるものである。
【０００６】
図８においては、光源からカラーフィルター４への光の照射像をイメージで現した光照射部６が白色部（Ｗ）の単位カラーフィルター５に対応していることを示している。この場合、白色光が被照射体を照らすことになり、カラーフィルター４を長手方向に移動し、光照射部６が緑色部（Ｇ）、青色部（Ｂ）、赤色部（Ｒ）に対応することとなれば、それぞれ緑色光、青色光、赤色光が被照射体を照らすことになる。
【０００７】
以上のような構成のカラーチェンジャー２においては、選択した単位カラーフィルター５の色でカラー照明を行うことができるが、より多色の光色でカラー照明を行うには所望の色の単位カラーフィルター５を多数用意しなければならなかった。
【０００８】
そこで、これらの不都合を解消するため、図９に示すように、単位カラーフィルター５の下側に位置決めマーカ５ｂを連続して複数個設けるものが考えられた。このカラーフィルター４を用いたカラーチェンジャー２によれば、光照射部６を単位カラーフィルター５毎のみではなく、各単位カラーフィルター５の中間位置にも対応させることができ、例えば、光照射部６が白色部（Ｗ）と緑色部（Ｇ）との２色間に亘っていれば、光照射部６に対する白色部（Ｗ）と緑色部（Ｇ）との占有面積の割合に応じて白色と緑色とが混合した光色を実現することができる。したがって、単位カラーフィルター５の色を多数用意しなくても多色の光色を実現することができることとなる。
【特許文献１】特開平９−２８２９２２号公報
【特許文献２】特開平８−１７２０８号公報
【発明の開示】
【発明が解決しようとする課題】
【０００９】
しかしながら、上述のものでは、中間色を含めた多数の光色を実現することは可能ではあるが、所望の光色を実現するに際し、より精度よく光色を実現することが望まれていた。
【００１０】
本発明は、多数色の単位カラーフィルターを用いることなく、多数の光色を実現でき、かつカラーフィルターの長手方向への移動量との関係で、色表現の精度を向上できるカラーチェンジャー及び照明装置を提供することを目的とする。
【課題を解決するための手段】
【００１１】
本発明の請求項１に記載のカラーチェンジャーは、本体と、本体内に収納され、長手方向に移動可能であって、光が照射される帯状のカラーフィルターとを具備するカラーチェンジャーにおいて、カラーフィルターは、複数色の単位カラーフィルターを連続して設け、単位カラーフィルター相互の境界を長手方向に対して非垂直線状となし、かつ光照射部に対する単位カラーフィルターの重合長を長くするようにしたことを特徴とする。
【００１２】
本発明の請求項２に記載のカラーチェンジャーは、単位カラーフィルター相互の境界をカラーフィルターの長手方向に対して傾斜線状となしていることを特徴とする。
【００１３】
本発明の請求項３に記載のカラーチェンジャーは、カラーフィルターが赤色、緑色、青色及び白色の単位カラーフィルターを含んでいることを特徴とする。
【００１４】
本発明の請求項４に記載のカラーチェンジャーは、カラーフィルターが赤色、緑色、青色、白色、シアン色、マゼンタ色及びイエロー色の単位カラーフィルターを含んでいることを特徴とする。
【００１５】
本発明の請求項５の照明装置は、器具本体内に配設される光源と、光源へ電力を供給する点灯装置とを具備する照明器具に請求項１乃至請求項４のいずれか一記載のカラーチェンジャーを設けたことを特徴とする。
【００１６】
各発明において、特に指定しない限り用語の定義及び技術的意味は次による。
【００１７】
光照射部に対する単位カラーフィルターの重合長を長くするとは、光照射部に対し移動する一つの単位カラーフィルターに注目したとき、単位カラーフィルターと光照射部の重合開始（重合面積が最小である位置）から終了（重合面積が最大になる位置）までの長さが、単位カラーフィルター相互の境界を長手方向に対して垂直線状にした従来のカラーフィルターを用いた場合に比較し長いことを意味する。
【００１８】
光照射部は、光源からカラーフィルターへの光の照射像をイメージで現したものであるから、その輪郭が必ずしも明確になるとは限らないものである。
【００１９】
照明器具にカラーチェンジャーを設けるとは、照明器具にカラーチェンジャーを着脱可能に取付けること、一体的に設けること又は照明器具にカラーチェンジャーを内蔵することを含むものである。照明器具にカラーチェンジャーを内蔵する場合は、カラーチェンジャーの本体は、照明器具の本体ケースを構成する部材がカラーチェンジャーの本体を兼用することもある。
【発明の効果】
【００２０】
本発明によれば、カラーフィルターの移動量との関係で、被照射体へ所望の光色を実現するに際し、色表現の精度を向上できるカラーチェンジャー及び照明装置を提供することができる。
【発明を実施するための最良の形態】
【００２１】
本発明のカラーチェンジャー及び照明装置を図１乃至図３を参照して説明する。なお、上述の従来例と同一又は相当部分の詳細な説明は省略する。図１は、カラーフィルター１０を示し、長手方向帯状に複数色の色が区分けされて単位カラーフィルター１１を構成している。単位フィルター相互の境界１１ａは長手方向垂直線に対して約４５度の傾きで傾斜線状をなしており、青色部（Ｂ）、緑色部（Ｇ）、白色部（Ｗ）、緑色部（Ｇ）、赤色部（Ｒ）、白色部（Ｗ）、赤色部（Ｒ）、青色部（Ｂ）、白色部（Ｗ）、青色部（Ｂ）、緑色部（Ｇ）、白色部（Ｗ）と順に連続してつながっている。また、単位カラーフィルター１１の下側には、位置決めマーカ１１ｂが多数連続して設けられている。
【００２２】
次に、このカラーフィルター１０を用いたカラーチェンジャー２の動作を説明する。光照射部６に対してカラーフィルター１０は、長手方向、すなわち図中左右方向に移動するが、例えば、今、カラーフィルター１０が左方に移動し、光照射部６に対して白色部（Ｗ）から緑色部（Ｇ）に移動する場合を考えると、光照射部６に占める単位カラーフィルター１１の面積が白色部（Ｗ）から緑色部（Ｇ）に移り変わることになる。
【００２３】
これは、光照射部６が緑色部（Ｇ）と重合する最初の位置、すなわち開始位置１２から、光照射部６が緑色部（Ｇ）と完全に重合する位置、すなわち終了位置１３までの距離Ｌを移動することを意味する。換言すれば、重合面積が最小である位置から、最大となる位置までの移動である。この場合、本実施形態による距離Ｌは、上述の図９のカラーフィルター４の構成の距離ｌよりも長いものとなる。したがって、位置決めマーカ１１ｂを数多く設けることができることになる。これは、２色の混合色をきめ細かく、精度よく表現できることを意味し、例えば、白色と緑色の中間色を表現する場合、所望の光色に対する位置決めマーカ１１ｂを選択すれば、白色と緑色の中間色を多段階に表現することができることとなる。
【００２４】
図２は、光照射部６と単位カラーフィルター１１との重合面積とカラーフィルター１０の移動距離との関係を説明するためのグラフであり、グラフ中、Ａは、本実施形態に対応する曲線であり、Ｂは、図９に対応する曲線である。これから分かるように、移動距離をＬ（本実施形態）、ｌ（図９に示す実施形態）、重合面積をＳとすると、ΔＳ／ΔＬは、ΔＳ／Δｌより小さい値となり、つまり、本実施形態においては、移動距離に対して重合面積が少なく、色変化量が少ないこととなる。したがって、きめ細かく、精度よく色表現できることとなる。
【００２５】
次に、これを図３の色度図を参照して説明する。この色度図は、一般的に知られているＸＹ座標空間で色を表したもので、図中、赤色（Ｒ）、緑色（Ｇ）、青色（Ｂ）、白色（Ｗ）、シアン色（Ｃ）、マゼンタ色（Ｍ）及びイエロー色（Ｙ）の座標点をそれぞれ示している。本実施形態において、光照射部６に対してカラーフィルター１０が白色部（Ｗ）から緑色部（Ｇ）移動する場合を想定すると、その移動過程で、色度図上、Ｇ点とＷ点とを結ぶ直線上の中間色を表現できることが理解できる。同様に、Ｇ点とＲ点、Ｒ点とＢ点、Ｂ点とＧ点、Ｒ点とＷ点、Ｂ点とＷ点を結ぶ直線上の中間色を表現することができる。
【００２６】
次に、図４は、本発明の第２の実施形態のカラーフィルター１０ａを示す。なお、上述の実施形態と同一又は相当部分は、同一符号を付しその詳細な説明は省略する。このカラーフィルター１０ａは、色料の３原色であるシアン色（Ｃ）、マゼンタ色（Ｍ）及びイエロー色（Ｙ）の単位カラーフィルター１１を加えたものである。単位カラーフィルター１１は、青色部（Ｂ）、シアン色（Ｃ）、白色部（Ｗ）、シアン色（Ｃ）、緑色部（Ｇ）、白色部（Ｗ）、緑色部（Ｇ）、イエロー色（Ｙ）、白色部（Ｗ）、イエロー色（Ｙ）、赤色部（Ｒ）、白色部（Ｗ）、赤色部（Ｒ）、マゼンタ色（Ｍ）、白色部（Ｗ）、マゼンタ色（Ｍ）、青色部（Ｂ）、白色部（Ｗ）と順に連続してつながっている。したがって、色度図から分かるように、上述の実施形態に加え、各Ｃ点、Ｍ点及びＹ点とＧ点、Ｒ点、Ｂ点及びＷ点を結ぶ直線上の中間色を表現することができ、一層多数の色を表現することが可能となる。
【００２７】
図５は、本発明の第３の実施形態のカラーフィルター１０ｂを示す。単位カラーフィルター１１相互の境界１１ａを長手方向垂直線に対してぎざぎざ状に形成したものである。この形態によっても光照射部６に対する単位カラーフィルター１１の重合長を長くすることが可能となる。
【００２８】
なお、本発明においては、位置決めマーカは必ずしも必要ではなく、例えば、モータをプログラム制御し、所望のカラーフィルター位置を選択するようにして、光色を表現するようにしてもよい。さらに、カラーフィルターは、移動可能であることは要するが、その手段は、モータによる駆動に限定されず、簡易なカラーチェンジャーにあっては、手動による駆動であってもよい。
【図面の簡単な説明】
【００２９】
【図１】本発明の実施形態としてのカラーフィルターの一部を取出して示す展開図である。
【図２】同カラーフィルターの作用をグラフ化して示す説明図である。
【図３】同カラーフィルターの作用を説明するための色度図である。
【図４】同第２の実施形態としてのカラーフィルターの一部を取出して示す展開図である。
【図５】同第３の実施形態としてのカラーフィルターの一部を取出して示す展開図である。
【図６】照明器具にカラーチェンジャーを取付けた状態を示す側面図である。
【図７】カラーチェンジャーの前面蓋を一部切欠いて示す正面図である。
【図８】本発明の従来例のカラーフィルターの一部を取出して示す展開図である。
【図９】同第２の従来例のカラーフィルターの一部を取出して示す展開図である。
【符号の説明】
【００３０】
２    ：カラーチェンジャー
２ａ  ：カラーチェンジャー本体
３    ：照明装置
６    ：光照射部
１０  ：カラーフィルター
１１  ：単位カラーフィルター
１１ａ：境界
【図１】
2007179762.tif 000003
【図２】
2007179762.tif 000004
【図３】
2007179762.tif 000005
【図４】
2007179762.tif 000006
【図５】
2007179762.tif 000007
【図６】
2007179762.tif 000008
【図７】
2007179762.tif 000009
【図８】
2007179762.tif 000010
【図９】
2007179762.tif 000011